(57)【要約】【課題】  対物レンズ及びレジューサレンズのような光学レンズに異物が付着することを防止するための光記憶システムを提供する。【解決手段】  光記憶媒体と、光記憶媒体から情報を再生するためのピックアップヘッドとを含み、ピックアップヘッドは、光学レンズと、この光学レンズへの異物の付着を防止するためのレンズ保護装置とを含む構成とする。【選択図】    図１
2004362739.tif 000002
【特許請求の範囲】
【請求項１】
光記憶媒体から情報を再生するためのピックアップヘッドを有する光記憶システムにおいて、
前記ピックアップヘッドは、光学レンズと、この光学レンズへの異物の付着を防止するためのレンズ保護装置とを含むことを特徴とする光記憶システム。
【請求項２】
前記ピックアップヘッドが光記憶媒体から情報を再生するとき、前記レンズ保護装置は前記ピックアップヘッドの光学レンズを開放することを特徴とする請求項１に記載の光記憶システム。
【請求項３】
前記ピックアップヘッドは外部ケーシングをさらに含み、前記ケーシングには、レンズ保護装置が前記光学レンズの前に配置されるように取着されることを特徴とする請求項２に記載の光記憶システム。
【請求項４】
前記レンズ保護装置は、光学レンズを露出させるための光学レンズ開口部を有するベースプレートと、選択的に光学レンズ開口部を開放するか又は閉鎖するためのカバー装置を含むことを特徴とする請求項３に記載の光記憶システム。
【請求項５】
前記カバー装置は、ベースプレートの上面に移動可能に配置される下部カバーと、前記下部カバーの上面に移動可能に配置される上部カバーとを含むことを特徴とする請求項４に記載の光記憶システム。
【請求項６】
前記カバー装置は、ローテータを有する回転型アクチュエータと、前記ローテータに固定された回転バーとをさらに含み、前記回転型アクチュエータはベースプレートの下面に装着され、前記回転バーは両端が下部カバー及び上部カバーに回転可能に連結されることを特徴とする請求項５に記載の光記憶システム。
【請求項７】
前記光学レンズ開口部は円形であり、前記下部カバーは自由端部に半円状の切断部を有し、前記上部カバーは回転バーに対向する辺部に、前記半円状の切断部に対応する半円状の切断部を有することを特徴とする請求項６に記載の光記憶システム。
【請求項８】
前記回転バーは前記回転型アクチュエータにより閉鎖位置と開放位置との間で回転し、前記回転バーが前記閉鎖位置にあると、前記下部及び上部カバーが前記光レンズ開口部を覆い、前記回転バーが前記開放位置にあると、前記下部及び上部カバーが前記光レンズ開口部を開放することを特徴とする請求項７に記載の光記憶システム。
【請求項９】
前記上部カバーは、自由端部に、前記ベースプレートの上面側に下方に突出した突出部を含み、前記突出部は、前記回転バーが前記閉鎖位置にあるとき、前記下部カバーの自由端部に接触することを特徴とする請求項８に記載の光記憶システム。
【請求項１０】
前記光学レンズ開口部は透明物質で塞がっていることを特徴とする請求項９に記載の光記憶システム。
【請求項１１】
前記ベースプレートは、下面に、前記外部ケーシングの上部に連結される連結部を含むことを特徴とする請求項１０に記載の光記憶システム。
【請求項１２】
前記光記憶媒体はＣＤ又はＤＶＤであることを特徴とする請求項１１に記載の光記憶システム。
【請求項１３】
前記光記憶媒体はホログラフィックディスクであることを特徴とする請求項１１に記載の光記憶システム。
【発明の詳細な説明】
【技術分野】
【０００１】
本発明はＣＤ−ＲＯＭ、ＤＶＤ−ＲＯＭ、又はホログラフィックＲＯＭシステムのような光記憶システムに係り、より詳しくは光記憶システムの光学レンズに異物が付着することを防止することにより、光記憶システムの信号再生の信頼性を向上させることができるピックアップヘッドを備えた光記憶システムに関するものである。
【背景技術】
【０００２】
一般に、ＣＤ−ＲＯＭ、ＤＶＤ−ＲＯＭ、又はホログラフィックＲＯＭシステムのような従来の光記憶システムは、光ドライブユニットと記憶媒体を含む。ＣＤ−ＲＯＭ又はＤＶＤ−ＲＯＭシステムに主として使用される記憶媒体はＣＤ又はＤＶＤで、このディスクはディスク面にビットトラック形態の情報を記憶する。そして、ホログラフィックＲＯＭシステムに使用される記憶媒体はホログラフィックディスクで、このディスクは内部にホログラム形態で情報を記憶する。
【０００３】
また、従来の光記憶システムの光ドライブユニットは、前述したディスクから情報を再生するためのピックアップヘッドを有する。ピックアップヘッドは、基本的に、半導体レーザのようなビームを照射するための光源、ビームを集中させるための対物レンズ、ディスクで反射されるか回折されたビームを検出するための光検出器、そして前記要素を収容するためのケーシングを含む。
【０００４】
このようなピックアップヘッドにおいて、対物レンズはレンズホルダに装着され、ディスクに対向する対物レンズ面が、ディスクをローディング及びアンローディングするためのディスクローディング装置内の空気に常に露出している。ディスクローディング装置内の空間は、ディスクローディング装置がディスクのローディング及びアンローディングを行う都度、光記憶システムの外部に連通される。したがって、埃、毛羽などの多くの異物がディスクローディング装置内の空間に流入する。この異物の一部は、特に光記憶システムが作動しない間、ディスクローディング装置内の空気に露出している対物レンズの表面に付着する。異物の光学レンズへの付着は信号ビームレベルの低下、歪みなどにつながる。
【０００５】
特に、ホログラフィックロムシステムのホログラムピックアップヘッドにおいて、対物レンズのほかに、光源から照射される基準光をフォーカスするためのレジューサレンズの、ディスクに対向する面がディスクローディング装置内の空気に露出している。したがって、ディスクローディング装置内の空気に露出したレジューサレンズの面にも付着する。これは、好ましくない基準光のフェーズ変化を誘発し得る。
【０００６】
したがって、従来の光記憶システムにおいて、異物の光学レンズへの付着により起こる信号ビームレベルの悪化、歪み及びフェーズ変化のため、信号再生の信頼性の急激で大きい減少の危険性がある。
【発明の開示】
【発明が解決しようとする課題】
【０００７】
したがって、本発明の目的は、光記憶システムの光学レンズを異物の付着から保護することにより、信号再生の信頼性を高めることができるピックアップヘッドを備えた光記憶システムを提供することにある。
【課題を解決するための手段】
【０００８】
前記のような目的を達成するため、本発明は、光記憶システムにおいて、光記憶媒体と、光記憶媒体から情報を再生するためのピックアップヘッドをとを含み、前記ピックアップヘッドは、光学レンズと、この光学レンズへの異物の付着を防止するためのレンズ保護装置とを含むことを特徴とする光記憶システムを提供する。
【発明の効果】
【０００９】
以上のような本発明の光記憶システムは、再生動作を行わない限り、対物レンズ、レジューサレンズのような光学レンズをピックアップヘッドの周囲から断絶された空間に収容するレンズ保護装置を含む。したがって、異物の光学レンズへの付着が防止されるので、再生された信号の信頼性が向上される。
【発明を実施するための最良の形態】
【００１０】
以下、本発明の好ましい実施例を添付図面に基づいて説明するが、図１乃至図５において、同一部材には同一符号を付ける。
【００１１】
図１は記憶媒体としてＣＤ又はＤＶＤを使用する本発明の第１実施例による光記憶システムの概略図を示す。同図に示すように、本発明による光記憶システムは、ビットトラック形態でディスク２０に記憶された情報を再生するためのピックアップヘッド１０を含む。ピックアップヘッド１０は、対物レンズ１１を介してディスク２０のビットトラックにビーム（再生ビーム）を導入させる。再生ビームは反射されたビーム（信号ビーム）としてディスク２０により反射され、対物レンズ１１を介してピックアップヘッド１０に入る。ついで、ピックアップヘッド１０は、信号ビームを感知し、信号ビームに応じてデータ処理装置３０に信号を送信する。ディスク２０は駆動装置２１により回転され、駆動装置２１は制御装置４０により制御される。そして、ピックアップヘッド１０は、アクチュエータ２により、ディスク２０に対して半径方向に移動し、このアクチュエータ２は制御装置４０により制御される。
【００１２】
ピックアップヘッド１０は、異物が対物レンズ１１に付着することを防止するためのレンズ保護装置１２０を有する。レンズ保護装置１２０は、ピックアップヘッド１０の外部ケーシング１０ａの上部、つまり対物レンズ１１とディスク２０との間に設けられる。制御装置４０からの制御信号に応じて、レンズ保護装置１２０は再生ビームと信号ビームが通過するように許容するか、又はディスク２０に対向する対物レンズ１１を覆う。
【００１３】
図２−Ａは対物レンズを露出させるための円形開口部が開いている本発明のレンズ保護装置１２０の平面図を示す。このレンズ保護装置１２０は、対物レンズ１１を露出させるための円形開口部１２２ａを有するベースプレート１２２を含む。ベースプレート１２２の下面には、ローテータ１２５ａを有する回転型アクチュエータ１２５が支持部材１２５ｂにより装着される（図３参照）。ローテータ１２５ａは、ベースプレート１２２に形成された開口部を介してベースプレート１２２を貫通する。ベースプレート１２２の上面から突出したローテータ１２５ａの端部には回転バー１２８が固定され、回転バー１２８の両端部はそれぞれピン１２８ａにより下部カバー１２４と上部カバー１２６に回転可能に連結されている。下部カバー１２４はベースプレート１２２の上面に移動可能に配置され、その自由端部には半円状の切断部１２４ａを有する。上部カバー１２６は下部カバー１２４の上面に移動可能に配置され、回転バー１２８に面する辺部に、前記半円状の切断部１２４ａに対応する半円状の切断部１２６ａを有する。上部カバー１２６の自由端には、Ｃ形の突出部１２６ｂがベースプレート１２２の上面側に突出している。回転バー１２８が図２−Ａに示すような開放位置にあるとき、二つの半円状切断部１２４ａ、１２６ａは、上から見て、円形開口部１２２ａと合致する円形開口部をなす。したがって、再生ビームと信号ビームがレンズ保護装置１２０を通過することができる。
【００１４】
図２−Ｂは対物レンズ１１を露出させるための円形開口部１２２ａが閉じている本発明のレンズ保護装置１２０の平面図を示す。円形開口部１２２ａの状態を図２−Ａに示す開放状態から閉鎖状態に変更するため、回転バー１２８が一定角度だけ時計回りに回転することにより、上部カバー１２６は右側に、反面下部カバー１２４は左側に移動する。回転バー１２８が閉鎖状態に位置すると、円形開口部１２２ａは下部及び上部カバー１２４、１２６で覆われ、突出部１２６ｂは下部カバー１２４の自由端と接触する。したがって、ディスク２０に対向する対物レンズ１１の外面が覆われ、ベースプレート１２２と外部ケーシング１０ａの上部間に形成された空間が閉鎖されるので、異物の流入が防止される。
【００１５】
図３は図２−Ｂの線Ａ−Ａについて切断したレンズ保護装置１２０の断面図を示す。回転バー１２８は、上部カバー１２６に連結される段差部を有し、下部カバー１２４に連結される端部にも段差部（図２−Ａ又は図２−Ｂを参照）を有する。ベースプレート１２２は外部ケーシング１０ａの上部周縁部に固定されるように連結される連結部１２２ｂを有する。
【００１６】
つぎに、光記憶システムの作動を説明する。
【００１７】
まず、ディスク２０が光記憶システムにローディングされる。再生作動が始まると、制御装置４０は回転型アクチュエータ１２５を制御してローテータ１２５ａを反時計回りに一定の角度だけ回転させることにより、図２−Ｂに示すような閉鎖位置にある回転バー１２８が図２−Ａに示すような開放位置に回転する。したがって、半円状切断部１２４ａ、１２６ａは、図２−Ａに示すように、円形開口部１２２ａに合致する円形開口部を形成して、対物レンズ１１を露出させる。ついで、ピックアップヘッド１０は、対物レンズ１１と円形開口部１２２ａを介してディスク２０に再生ビームを照射し、ディスク２０からの信号光を円形開口部１２２ａ及び対物レンズ１１を介して受け取る。
【００１８】
また、再生作動が終わるとき、制御装置４０は、回転型アクチュエータ１２５がローテータ１２５ａを一定の角度だけ時計回りに回転させるように制御することにより、回転バー１２８が開放位置から閉鎖位置に回転する。したがって、円形開口部１２２ａは下部カバー１２４及び上部カバー１２６により完全に閉鎖されるので、ベースプレート１２２の下部空間に異物が流入することが防止される。これにより、対物レンズ１１への異物の付着が防止され、信号再生の信頼性が向上される。
【００１９】
図４は本発明の変更実施例によるレンズ保護装置の断面図を示す。このレンズ保護装置１２０’は、ベースプレート１２２の円形開口部１２２ａが透明物質１２３で塞がっていることを除き、本発明の先の実施例のレンズ保護装置１２０と同一である。このような構造によって、ベースプレート１２２と外部ケーシング１０ａ間に形成された空間への異物の流入が完全に防止される。また、下部及び上部カバー１２４、１２６は円形開口部１２２ａに塞がっている透明物質１２３の外面に異物が付着することを防止する。
【００２０】
図５はホログラフィックディスクを記憶媒体として使用する本発明の好ましい第２実施例による光記憶システムの概略図を示す。この実施例による光記憶システムは、ホログラムトラックの形態でディスク２００に記憶された情報を再生するためのピックアップヘッド１００を含む。ピックアップヘッド１００は、レジューサレンズ１１０を介してビーム（再生ビーム）をディスク２００のホログラムトラックに導入させる。再生ビームはディスク２００のホログラムトラックにより回折し、回折したビームは再生ビームとして対物レンズ１１２を介してピックアップヘッド１０に入射される。対物レンズ１１２は、制御装置４００により制御されるアクチュエータ１１６により垂直方向に移動する。ついで、ピックアップヘッド１００は再生されたビームを検出し、この再生ビームに応じてデータ処理装置に信号を送信する。ディスク２００は駆動装置２１０により回転し、駆動装置２１０は制御装置４００により制御される。そして、ピックアップヘッド１００は、制御装置４００により制御されるアクチュエータ１０２により、ディスク２００に対して半径方向に移動する。
【００２１】
また、ピックアップヘッド１００は、異物が対物レンズ１１２及びレジューサ１１０に付着することを防止するためのレンズ保護装置１２１を含む。このレンズ保護装置１２１は対物レンズ１１２及びレジューサレンズ１１０とディスク２００間に装着され、制御装置４００により制御される。制御装置４００からの制御信号に応じて、レンズ保護装置１２０は、再生ビーム及び再生ビームが通過できるようにするか、又は対物レンズ１１２及びレジューサレンズ１１０を覆う。
【００２２】
本発明の好ましい第２実施例において、レンズ保護装置１２１の作動及び構造は、対物レンズ１１２の代わりにレジューサレンズ１１０を通過する再生ビームが通過するように構成されることを除き、第１実施例と同一である。したがって、その詳細な説明は省略する。また、レンズ保護装置１２１の代わりに、ピックアップヘッドケーシング１００ａの上部に前記第１実施例の変更実施例によるレンズ保護装置１２０’を装着することもできる。
【００２３】
以上で説明したものは、本発明による光記憶システムを具現するための一つの実施例に過ぎないもので、本発明は前記実施例に限定されるものではなく、特許請求の範囲で請求するような本発明の要旨を逸脱することなしに、本発明が属する分野で通常の知識を有する者であれば、誰でも多様に変更実施可能な範囲まで本発明の技術的精神があると言える。
【図面の簡単な説明】
【００２４】
【図１】記憶媒体としてＣＤ及び／又はＤＶＤを使用する本発明の第１実施例による光記憶システムの概略図である。
【図２−Ａ】対物レンズを露出させるための円形開口部が開放された状態の本発明のレンズ保護装置の平面図である。
【図２−Ｂ】対物レンズを露出させるための円形開口部が閉鎖された状態の本発明のレンズ保護装置の平面図である。
【図３】図２−Ｂの線Ａ−Ａについて切断された本発明のレンズ保護装置の断面図である。
【図４】本発明の変更実施例によるレンズ保護装置の断面図である。
【図５】記憶媒体としてホログラフィックディスク使用する本発明の第２実施例による光記憶システムの概略図である。
【符号の説明】
【００２５】
１０、１００  ピックアップヘッド
１１、１１２  対物レンズ
２０、２００  ディスク
２１、２１０  駆動装置
３０、３００  データ処理装置
４０、４００  制御装置
２、１０２  アクチュエータ
１１０  レジューサレンズ
１１６  アクチュエータ
１２０、１２０’、１２１  レンズ保護装置
１２２  ベースプレート
１２２ａ  円形開口部
１２４  下部カバー
１２４ａ  半円状切断部
１２５  回転型アクチュエータ
１２６  上部カバー
１２６ａ  半円状切断部
１２５  回転型アクチュエータ
１２５ａ  ローテータ
１２５ｂ  支持部材
１２８  回転バー
２１０  駆動装置
【図１】
2004362739.tif 000003
【図２−Ａ】
2004362739.tif 000004
【図２−Ｂ】
2004362739.tif 000005
【図３】
2004362739.tif 000006
【図４】
2004362739.tif 000007
【図５】
2004362739.tif 000008